(57)【要約】延長部品（１２、１１２）を基準部品（１、１０１）に対して同時に上に折り、伸ばすための機構、抜き差し滑り輪郭要素（１０、１１０）が基準部品に及び延長部品に連結される。本質的に固定の滑り輪郭要素は、パンタグラフ骨組により前記基準部品に連結されるのがよい。本発明はまた、フットレストを同時に上に折り、伸ばすためのかかる機構を伴うリクライニングチェア構造に関する。
2006502766.tif 000002
【特許請求の範囲】
【請求項１】
延長部品（１２、１１２）を基準部品（１、１０１）に対して同時に上に折り、伸ばすための機構であって、該機構は、
一端を前記基準部品と相互連結し、他端を前記延長部品と枢着相互連結した少なくとも１つの「本質的に固定」の線形に延びる手段（１０、１１０）と、
一端を前記基準部品の旋回点と枢着連結し、前記延長部品と固く相互連結した他端を、前記本質的に固定の線形に延びる手段と枢着相互連結した少なくとも１つのヒンジ式に動く線形に延びる手段（１１、１１１）と、を含む、ものにおいて、前記本質的に固定の線形に延びる手段及びヒンジ式に動く線形に延びる手段は、各々抜き差し滑り輪郭要素（１０、１１０）よりなり、前記本質的に固定の滑り輪郭要素は、前記基準部品と相互連結された第１輪郭体を有し、他の輪郭体（Ａ）は、前記延長部品（１２、１１２）と枢着相互連結され、ヒンジ式に動く線形に延びる手段は、前記基準部品（１、１０１）の旋回点（Ｚ，Ｚ’に枢着連結された第１輪郭体を有し、前記延長部品（１２、１１２）と固く相互連結された他の輪郭体（Ｂ）は、本質的に固定の滑り輪郭要素の前記他の輪郭体（Ａ）と枢着相互連結される、ことを特徴とする機構。
【請求項２】
本質的に固定の滑り輪郭要素及びヒンジ式に動く滑り輪郭要素の第１輪郭体及び他の輪郭体は、前記ヒンジ式に動く滑り輪郭要素が本質的に固定の滑り輪郭要素及び前記ヒンジ式に動く滑り輪郭要素の滑り運動と平行な平面でヒンジ式に動くように、前記互いに且つ基準部品と相互連結される、請求項１による機構。
【請求項３】
機構は、前記基準部品及び又は前記上に折れ、伸びる延長部品に関して対象に位置決めされた、２組の本質的に固定の抜き差し滑り輪郭要素及び２組のヒンジ式に動く抜き差し滑り輪郭要素を有する、請求項１又は２による機構。
【請求項４】
前記ヒンジ式に動く滑り輪郭要素の前記他の輪郭体は、前記延長部品の支持体として作用する、請求項１−３のいずれか１項による機構。
【請求項５】
本質的に固定の滑り輪郭要素は、ヒンジ式に動く滑り輪郭要素のヒンジ式に動く機能において本質的に固定の滑り輪郭要素の方向を変更するパンタグラフ骨組によって基準部品に相互連結される、請求項１−４のいずれか１項による機構。
【請求項６】
前記パンタグラフ骨組は、
本質的に固定の滑り輪郭要素（１０４の１１０）の前記第１輪郭体と前記基準部品（１０１）の間の旋回点連結部（２２）、
ヒンジ式に動く滑り輪郭要素（１０９の１１１）の前記第１輪郭体とパンタグラフ主部品（２１）の間の旋回点連結部（Ｎ’）、
ヒンジ式に動く滑り輪郭要素（１０９の１１１）の前記第１輪郭体と基準部品（１０１）の間の旋回点連結部（Ｚ’）、
前記本質的に固定の滑り輪郭要素（１０４の１１０）と前記パンタグラフ主部品（２１）の間の、更なる２つの旋回点（２４）及び（２５）によるレバー連結部（２３）、及び
前記パンタグラフ主部品（２１）と前記基準部品（１０１）の間のレバー連結部（１０２）、
を有する、請求項５による機構。
【請求項７】
前記滑り輪郭要素は、特に、ボールベアリング要素上を滑る、請求項１−６のいずれか１項による機構。
【請求項８】
チェア又はチェア支持体（１、１０１）に対して同時に上に折れ、伸びるフットレスト（１２、１１２）を有するリクライニングチェア構造において、請求項１−７のいずれか１項による機構を有し、該機構の前記延長部品が前記上に折れ、伸びるフットレストを構成する、リクライニングチェア構造。
【請求項９】
チェア支持体（１、１０１）に対して同時に上に折れ、延びるフットレスト（１２、１１２）を有するリクライニングチェア構造であって、一端をチェアと相互連結し、他端を前記フットレストと枢着相互連結した少なくとも１つの「本質的に固定」の線形に延びる手段（１０、１１０）、
一端をチェアの旋回点に枢着連結し、フットレストと固く相互連結した他端を、前記本質的に固定の線形に延びる手段の他端と枢着相互連結した少なくとも１つのヒンジ式に動く線形に延びる手段（１１、１１１）、を含む、リクライニングチェア構造において、前記本質的に固定の線形に延びる手段及びヒンジ式に動く線形に延びる手段は、各々抜き差し滑り輪郭要素（１０、１０１）よりなり、前記本質的に固定の滑り輪郭要素は、チェア（１、１０１）と相互連結された第１輪郭体を有し、他の輪郭体（Ａ）は、フットレスト（１２、１１２）と枢着相互連結され、ヒンジ式に動く滑り輪郭要素は、前記チェア（１、１０１）の旋回点（Ｚ、Ｚ’）に枢着連結された第１輪郭体を有し、フットレスト（１２、１１２）と前記延長部品と固く相互連結された他の輪郭体（Ｂ）は、本質的に固定の滑り輪郭要素の前記他の輪郭体（Ａ）と枢着相互連結される、ことを特徴とするリクライニングチェア構造。
【請求項１０】
本質的に固定の滑り輪郭要素及びヒンジ式に動く滑り輪郭要素の第１輪郭体及び他の輪郭体は、前記ヒンジ式に動く滑り輪郭要素が前記本質的に固定の滑り輪郭要素及び前記ヒンジ式に動く滑り輪郭要素の滑り運動と平行な平面でヒンジ式に動くように互いに及びチェアと相互連結される、請求項９によるリクライニングチェア構造。
【請求項１１】
リクライニングチェア構造は、チェア及び又は上に折れ、伸びるフットレストに関して対象に位置決めされた、２組の本質的に固定の抜き差し滑り輪郭要素及び２組のヒンジ式に動く抜き差し滑り輪郭要素を有する、請求項９又は１０によるリクライニングチェア構造。
【請求項１２】
前記ヒンジ式に動く抜き差し滑り輪郭要素は、前記フットレストの支持体として作用する、請求項９−１１のいずれか１項によるリクライニングチェア構造。
【請求項１３】
本質的に固定の滑り輪郭要素の第一輪郭体は、ヒンジ式に動く滑り輪郭要素のヒンジ式に動く機能において本質的に固定の滑り輪郭要素の方向を変更するパンタグラフ骨組によってチェアに相互連結される、請求項９−１２のいずれか１項によるリクライニングチェア構造。
【請求項１４】
前記パンタグラフ骨組は、
本質的に固定の滑り輪郭要素（１０４の１１０）の前記第１輪郭体とチェアフレーム（１０１）の間の旋回点連結部（２２）、
ヒンジ式に動く滑り輪郭要素（１０９の１１１）の第１輪郭体とパンタグラフ骨組主部品（２１）の間の旋回点連結部（Ｎ’）、
ヒンジ式に動く滑り輪郭要素（１０４の１１０）の前記第１輪郭体とチェアフレーム（１０１）の間の旋回点連結部（Ｚ’）、
前記本質的に固定の滑り輪郭要素（１０４の１１０）と前記パンタグラフ骨組主部品（２１）の間の、２つの旋回点（２４）及び（２５）によるレバー連結部（２３）、及び
前記パンタグラフ骨組主部品（２１）とチェアフレーム（１０１）の間のレバー連結部（１０２）、
を伴う、請求項１３によるチェア構造。
【請求項１５】
前記滑り輪郭要素は、ボールベアリング要素上を滑る、請求項１−１４のいずれか１項によるチェア構造。
【発明の詳細な説明】
【技術分野】
【０００１】
本発明は、延長部品を、折れた（内に折れた、下に折れた）位置で休む客体に対して同時に上に折り、伸ばす機構に関する。このような機構は特に、同時に上に折り、伸ばすフットレスト付のリクライニングチェアにそれらの適応を見いだす。
【背景技術】
【０００２】
座席家具（特に、所謂「リクライニングチェア」又は「くつろぎ椅子」のような）のフットレストを上に折り、同時に伸ばすための、今日知られている機構は、トラピーズレバー装置及び又はレバー及びケーブル装置を使用する、むしろ複雑な構造を伴う。このような装置は、実際には、安全性が十分でなく、その上高価過ぎ、重過ぎ、嵩張り過ぎ及び又は信頼性が十分でないことが知られている。
【０００３】
かくしてフットレストの同時枢動及び滑り運動を達成するための、提案された特殊な装置は、一端が基準部品と連結され、他端が延長部と枢着連結された固定の線形に延びる手段、及び、一端が基準部品の旋回点と枢着連結され、他端が延長部品と固く連結され且つ固定の線形に延びる手段の他端と枢着連結されたヒンジ式に動く線形に延びる手段の一般的な原理を伴う。このような特殊な装置は、例えば欧州特許第１１２２９４０号明細書でしられており、該明細書は、シート又はアームチェアのフレームにヒンジ連結されたフレームと、滑り可能なアームによって、前記ヒンジ連結されたフレームに設けられたフットレストとを伴う、アームチェア、ソファ等のための伸び可能なフットレスト機構を開示しており、シートフレームに固く連結されたアクチェータの線形に延びるステムは、枢着連結部によって、滑り可能に支持されたフットレストに作用するので、アクチェータの延びは、フットレストの同時枢着及び滑り運動を引き起こす。しかしながら、この一般的な原理により作動する周知の装置は、コスト、重量、信頼性及び作動のなめらかさに関して欠点を有している。
【発明の開示】
【発明が解決しようとする課題】
【０００４】
この発明の目的は、延長部品を折り（又は上に折り）、伸ばす（延ばす）ための改良された簡易機構を提供することにあり、且つ係る機構を、上に折り、伸ばす（延ばす）フットレスト付のチェア構造に適用することにある。
【課題を解決するための手段】
【０００５】
従って、本発明は、延長部品を基準部品に対して同時に上に折り、伸ばすための機構を提供することにあり、該機構は、
一端を前記基準部品と相互連結し、他端を前記延長部品と枢着相互連結した少なくとも１つの「本質的に固定」の線形に延びる手段と、
一端を前記基準部品の旋回点と枢着連結し、前記延長部品と固く相互連結した他端を、前記本質的に固定の線形に延びる手段と枢着相互連結した少なくとも１つのヒンジ式に動く線形に延びる手段と、を含み、前記本質的に固定の線形に延びる手段及びヒンジ式に動く線形に延びる手段は、各々抜き差し滑り輪郭要素よりなり、前記本質的に固定の滑り輪郭要素は、前記基準部品と相互連結された第１輪郭体及び前記延長部品と枢着相互連結された他の輪郭体を有し、ヒンジ式に動く線形に延びる手段は、前記基準部品の旋回点に枢着連結された第１輪郭体及び前記延長部品と固く相互連結され、本質的に固定の滑り輪郭要素の前記他の輪郭体と枢着相互連結された他の輪郭体を有する。
【０００６】
本明細書において、第１タイプの線形に延びる手段、即ち滑り輪郭要素に関して用いられたごとき表現「本質的に固定」は、他のタイプのヒンジ式に動く線形に延びる手段、即ち滑り輪郭要素と対比して、相対的な意味を有する。この表現は、第１のタイプの線形に延びる手段、即ち滑り輪郭要素が基準部品に必ずしも完全に固く固定されないが、有る実施形態では、機構の一層円滑な操作に備えるために、基準部品に関していくらかの小枢着運動及び又は並進運動を許す基準部品との連結部を有する。ヒンジ式に動く線形に延びる手段、即ち滑り輪郭要素は９０°より大きい最大の角運動を伴うのに対して、「本質的に固定」の線形に延びる手段、即ち滑り輪郭要素は、数度より大きくない枢着運動及び又は数センチメートルの並進運動を伴う。
【０００７】
本発明の好ましい特徴によれば、本質的に固定の滑り輪郭要素及びヒンジ式に動く滑り輪郭要素の第１輪郭体及び他の輪郭体は、前記ヒンジ式に動く滑り輪郭要素が本質的に固定の滑り輪郭要素及び前記ヒンジ式に動く滑り輪郭要素の滑り運動と平行な平面でヒンジ式に動くように、前記互いに且つ基準部品と相互連結される。
【０００８】
本発明の好ましい実施形態によれば、機構は、特に、基準部品及び又は上に折れ、伸びる延長部品に関して対象に位置決めされた、２組の本質的に固定の抜き差し滑り輪郭要素及び２組のヒンジ式に動く抜き差し滑り輪郭要素を有するのがよい。かくして、ある機構は、本質的に固定の線形に延びる手段について１対、ヒンジ式に動く線形に延びる手段について１対、２「対」の標準滑り輪郭要素を有する。
【０００９】
本発明の他の好ましい実施形態によれば、ヒンジ式に動く滑り輪郭要素の前記「他の輪郭体」は、延長部品の支持体として大変適当に作用する。
【００１０】
本発明のさらなる本質的な特徴は、好ましい実施形態のために、本質的に固定の滑り輪郭要素は、ヒンジ式に動く滑り輪郭要素のヒンジ式に動く機能において本質的に固定の滑り輪郭要素の方向を変更するパンタグラフ骨組によって基準部品に相互連結される。
【００１１】
特に、パンタグラフ骨組は、本質的に固定の滑り輪郭要素の前記第１輪郭体と前記基準部品の間の旋回点連結部、
ヒンジ式に動く滑り輪郭要素の前記第１輪郭体とパンタグラフ主部品の間の旋回点連結部、
ヒンジ式に動く滑り輪郭要素の前記第１輪郭体と基準部品の間の旋回点連結部、
前記本質的に固定の滑り輪郭要素と前記パンタグラフ主部品の間の、更なる２つの旋回点によるレバー連結部、及び
前記パンタグラフ主部品と前記基準部品の間のレバー連結部、
を伴う。
【００１２】
他の好ましい特徴によれば、滑り輪郭要素は、特に、ボールベアリング要素を伴う。
【００１３】
その上、本発明は、上記のような機構を伴い、「チェア」に対して同時に上に折れ、伸びるフットレストを有し、前記機構の延長部分が上に折れ、伸びるフットレストを構成する、リクライニングシート／チェア構造を提供する。
【００１４】
本明細書でヘットレスの上に折れ、伸びる運動に関して用いられるごとき表現「チェアに対する」は相対的な意味を有し、そしてチェアの全体の位置を指す（チェアそれ自体、又はチェアシート、又はチェア支持体若しくはベースフレームに具体化される）。
【００１５】
本発明のくつろぎチェア構造の好ましい特徴によれば、それは、特に、
一端をチェアと相互連結し、他端を前記フットレストと枢着相互連結した少なくとも１つの「本質的に固定」の線形に延びる手段、
一端をチェアの旋回点に枢着連結し、フットレストと固く相互連結した他端を、前記本質的に固定の線形に延びる手段の他端と枢着相互連結した少なくとも１つのヒンジ式に動く線形に延びる手段と、を含み、前記本質的に固定の線形に延びる手段及びヒンジ式に動く線形に延びる手段は、各々抜き差し滑り輪郭要素よりなり、前記本質的に固定の滑り輪郭要素は、チェアと相互連結された第１輪郭体及びフットレストと枢着相互連結された他の輪郭体を有し、ヒンジ式に動く滑り輪郭要素は、前記チェアの旋回点に枢着連結された第１輪郭体及びフットレストと前記延長部品と固く相互連結され、本質的に固定の滑り輪郭要素の前記他の輪郭体と枢着相互連結された他の輪郭体を有する。
【００１６】
本発明のチェア構造の好ましい特徴によれば、本質的に固定の滑り輪郭要素及びヒンジ式に動く滑り輪郭要素の第１輪郭体及び他の輪郭体は、前記ヒンジ式に動く滑り輪郭要素
が本質的に固定の滑り輪郭要素及びヒンジ式に動く滑り輪郭要素の滑り運動と平行な平面でヒンジ式に動くように互いに及びチェアと相互連結される。
【００１７】
発明の好ましい実施形態によれば、チェア構造は、特に、チェア及び又は上に折れ、伸びるフットレストに関して対象に位置決めされた、２組の本質的に固定の抜き差し滑り輪郭要素及び２組のヒンジ式に動く抜き差し滑り輪郭要素を有するのがよい。
【００１８】
本発明の他の好ましい実施形態によれば、前記ヒンジ式に動く抜き差し滑り輪郭要素は、前記フットレストの支持体として作用する。
【００１９】
本発明の更なる本質的な特徴は、チェア構造の好ましい実施形態のために、本質的に固定の滑り輪郭要素の第一輪郭体は、ヒンジ式に動く滑り輪郭要素のヒンジ式に動く機能において本質的に固定の滑り輪郭要素の方向を変更するパンタグラフ骨組によってチェアに相互連結される。
【００２０】
特に好ましいチェア構造は、
本質的に固定の滑り輪郭要素の前記第１輪郭体とチェアの間の旋回点連結部、
ヒンジ式に動く滑り輪郭要素の第１輪郭体とパンタグラフ骨組主部品の間の旋回点連結部、
ヒンジ式に動く滑り輪郭要素の前記第１輪郭体とチェアの間の旋回点連結部、
前記本質的に固定の滑り輪郭要素と前記パンタグラフ骨組主部品の間の、２つの旋回点（２４）及び（２５）によるレバー連結部、及び
前記パンタグラフ骨組主部品とチェアの間のレバー連結部、
をもったパンタグラフ骨組を伴う。
【００２１】
チェア構造は、ボールベアリング要素上を滑る滑り輪郭要素を使用する野が最も適している。
【００２２】
本発明による新規なくつろぎチェア構造／機構は、先行技術の構造／機構よりも多くの利点を提供する。この機構は「ハサミ」効果を回避し、かくして、最適な安全性を伴う。機構は簡単、安価、強い、それにもかかわらず軽い。機構は、大変軽く且つ円滑であり、その結果、シートとフットレストの重心及び又はプロポーションを的確に選択するだけで、使用者の体重からだけで生ずるフットレストの動きを大変簡単に得ることができとともに、大変簡単な手段で引っ込み位置に戻る。更なる結果として、シートの背もたれは、フットレストを上に折り、伸ばすための機構に随意に連結され、又は前記機構と全く無関係に提供される。
【００２３】
本発明の更なる特徴及び詳細は、添付図面を参照して、例示として記載した、本発明による機構及びチェア構造の特別な実施形態の以下の説明から明らかになろう。
【発明を実施するための最良の形態】
【００２４】
実施形態の詳細及び及び詳細な事項は発明の範囲に如何なる制限をも意味しないことを力説すべきである。これらの詳細及び詳細な事項に対する多くの修正及び変形この上の開示に記載されるように、また特許請求の範囲の請求項に記載されているように発明の一般的な範囲から逸脱することなく当業者に容易に理解されよう。
【００２５】
図１及び２は延長部品を同時に下に折り曲げる及び伸ばすための、本発明による機構を概略的に示す。この機構は、抜き差し滑り輪郭体Ａを有する１つの「本質的に固定の」線形に延びる手段（抜き差し滑り輪郭要素）と、抜き差し滑り輪郭体Ｂを有する１つのヒンジ式に動く線形に延びる手段（抜き差し滑り輪郭要素）と、を含む。ヒンジ式に動く抜き差し滑り輪郭要素は、その第１（「固定」）部分が、「本質的に固定の」抜き差し滑り輪郭体の第１（「固定」）端と、旋回点Ｚによって、ヒンジ式に動く方法で連結される。「本質的に固定の」抜き差し滑り輪郭要素の滑り輪郭体Ａとヒンジ式に動く抜き差し滑り輪郭要素の滑り輪郭体Ｂは、旋回点Ｓによってヒンジ式に動く方法で連結される。「本質的に固定」の抜き差し滑り輪郭要素の滑り輪郭体Ａは、線Ｘに沿って移動し、ヒンジ式に動く抜き差し滑り輪郭要素の滑り輪郭体Ｂは、回転線Ｒに沿って移動する。図１には、ヒンジ式に動く抜き差し滑り輪郭要素が、線Ｘと線Ｒとの間の角度α下に折った位置で（引っ込んだ滑り輪郭体Ｂで）示されている。図２には、ヒンジ式に動く抜き差し滑り輪郭要素の滑り輪郭体Ｂが、線Ｘと線Ｒの間の角度β上に折った位置で（伸ばした滑り輪郭体Ｂで）示されている。
【００２６】
下に折った位置（図１）と上に折った位置（図２）との間で、旋回点ＺとＳの間の距離「ａ」は最小距離ａ1から最大距離ａ2まで変化する。
【００２７】
本発明による上に折り、伸ばす機構の作動原理は図３に図示されている。この図は、旋回点Ｓが滑り輪郭部品を互いに連結している、「本質的に固定」の抜き差し滑り輪郭要素の固定線Ｘを概略的に示し、図面はまた、「本質的に固定」の抜き差し滑り輪郭要素に対するヒンジ式に動く抜き差し滑り輪郭要素の旋回点Ｚを示す。線Ｙによる、旋回点Ｚと固定線Ｘとの間の垂直距離はセクションｙと指定される。セクションｙ、（固定）旋回点Ｚ、及び（可変）旋回点Ｓは直角三角形を形成し、この直角三角形の垂直（隣接）辺ｙは一定長さを有し、対向辺及び斜辺は、輪郭体Ａが線Ｘに沿って伸び、ヒンジ式に動く抜き差し滑り輪郭要素が上に折れ、輪郭体Ｂが線Ｒ1からＲ2に移動するとき、旋回点Ｓが移動するので、長さが変化し、隣接辺ｙと斜辺との間の角度がｙ1からｙ2に増大する。同時に、対向辺は長さｂ１から長さｂ2に増大し、斜辺は長さａ1から長さａ2に増大する。
【００２８】
図４−６は、リクライニングチェア構造の第１実施形態への本発明による機構の適用を図示し、このリクライニングチェア構造は、チェアに対して同時に上に折り及び伸びるフットレストを有する。チェア構造は、両側に（図では、左側だけが見える）シート（図示せず）を設けるための且つこの構造をチェア支持体又は足（図示せず）に取り付けるための取付けプレートを有する。
【００２９】
図４−６に示す構造は、機構の操作に関係する背もたれを備えた実施形態に関する。背もたれは、旋回点３によって取付けプレート１に枢着連結される。その上、背もたれ２は、その下端が旋回点５によって可動プレート４に枢着連結される。可動プレート４は、機構の動きに制動作用を与えるように、取付けプレート１のピン８と協同するスリット７を有する。取付けプレート１には、ン回転３から最も遠い、取付けプレートの末端の旋回点Ｚを中心にヒンジ式に動く旋回アーム９が設けられている。旋回アーム９、旋回点５から最も遠い、可動プレート４の末端と旋回点Ｎによって枢着連結される。参照番号１０で全体として指示された「本質的に固定」の滑り輪郭要素は、可動プレート４に取り付けられ、参照番号１１で全体として指示されたヒンジ式に動く滑り輪郭要素は、旋回アーム９に取り付けられ、滑り輪郭要素１０、１１の滑り輪郭部品Ａ，Ｂの隣接端は旋回点Ｓによって互いに枢着連結される。
【００３０】
旋回点Ｚ，Ｎ及びＳ歯１本線上にあるべきではないことは言うまでもない。機構の最適な機能のために、旋回点３と５の間の距離「Ｌ」と旋回点ＺとＮの間の距離「Ｉ」との比は、好ましくは、２：１及び４：１であるべきであり、そして最も好ましくは、図面に示すように、ほぼ３：１の値を取るべきである。
【００３１】
リクライニングチェア構造のフットレストは、チェア構造の両側で（図では、左側だけが見える）滑り輪郭部品Ｂに連結される。本発明によるシート機構の連続位置を示す図４−６の比較から、チェアの背もたれ２に及ぼす力により、フットレスト１２を上に折り、伸ばし、この伸ばしは、旋回点３及びＺを中心とする枢着運動が、１つの固定辺と直線に沿って伸びる１つの辺をもった三角形の、上述した原理の結果として、直線運動に変換されるので、本質的に直線に起こる。説明したように、ピン８と協同するスリット７の使用は、主として、機構の運動に制動作用を与えること、及び機構を中間位置に維持するのを助けることにある。フットレストの引っ込め、引っ込み位置への後方運動は、フットレスに足である力を及ぼすことによって容易にされる。この特徴は、本発明による機構の更なる関心のある利点をなしている。
【００３２】
図７−９は、リクライニングチェア構造の他の実施形態に本発明による機構の適用を図示する。このリクライニングチェア構造は、チェアに対して同時に上に折り、伸ばすフットレストを有する。チェア構造は、両側に（図では、左側だけが見える）シート（図示せず）を設けるための且つこの構造をチェア支持体又は足（図示せず）に取り付けるための取付けプレート１０１と、旋回するフットレスト支持アーム１０９と、を有する。
【００３３】
図７−９に示す構造は、背もたれが機構の操作に関係しない実施形態に関する。フットレスト１１２を上に折り、伸ばすための機構はさらに、
可動プレート１０４と、
パンタグラフ骨組主部品２１と、
可動プレート１０４と取付けプレート１０１の間の旋回点連結部２２と
フットレスト支持アーム１０９とパンタグラフ骨組部品２１の間の旋回点連結部Ｎ’と、
フットレスト支持アーム１０９と取付けプレート１０１の間の旋回点連結部Ｚ’と、
旋回点２５、２４によって可動プレート１０４、パンタグラフ骨組部品２１とそれぞれ連結するレバー連結体２３と、
旋回点１０３、１０５によって、取付けプレート１０１、パンタグラフ骨組部品２１とそれぞれ連結するレバー連結体１０２と、
を含むパンタグラフ骨組を伴う。
【００３４】
旋回アーム１０９は、旋回点１０３から最も遠い、取付けプレート１０１の末端に位置した旋回点Ｚ’によって取付けプレート１０１に枢着連結される。旋回アーム１０９はまた、旋回点５から最も遠い、可動プレート１０４の末端に位置した旋回点Ｎ’によって、可動プレート１０４に枢着連結される。レバー１０２は、旋回点１０３、１０５によって取付けプレート１０１を可動プレート１０４に相互連結する。
【００３５】
参照番号１１０で全体として指示された「本質的に固定」の滑り輪郭要素は、可動プレート１０４に取り付けられ、参照番号１１１で全体として指示されたヒンジ式に動く滑り輪郭要素は、旋回アーム１０９に取り付けられ、滑り輪郭要素１１０、１１１の滑り輪郭部品Ａ，Ｂの隣接端は旋回点Ｓ’によって互いに枢着連結される。旋回点Ｚ，Ｎ及びＳが１本線上にあるべきではないことは言うまでもない。機構の最適な機能のために、旋回点１０３と１０５の間の距離と旋回点Ｚ’とＮ’の間の距離との比は、好ましくは、２：１及び４：１であるべきであり、そして最も好ましくは、ほぼ３：１の値を取るべきである。
【００３６】
図７−９のリクライニングチェア構造のフットレスト１１２は、チェア構造の両側で（図では、左側だけが見える）滑り輪郭部品Ｂに連結される。本発明によるシート機構の連続位置を示す図７−９の比較から、チェアのシートのための支持体として作用する、パンタグラフ骨組主部品２１に及ぼされた力により、フットレスト１１２をどのようにして上に折り、伸ばし、この伸ばしは、旋回点１０３及びＺを中心とする枢着運動が、１つの固定辺と直線に沿って延びる１つの辺をもった三角形の上述した原理の結果として、直線運動に変換されるので、本質的に直線に起こる。
【００３７】
本発明のこの実施形態によるパンタグラフ骨組装置は、フットレストを、その上に折り、伸ばす運動に際し大変高く行かせるための可能性を提供する。装置はまた、単に、シートに又はフットレストに係る使用者の体重によって、機構の大変容易な操作を可能にする。このことは、機構を操作するためのチェアの背もたれを伴わなければならないことの欠点を回避し、これは、本発明のこの実施形態による機構の大変関心のある利点をなしている。
【図面の簡単な説明】
【００３８】
【図１】延長部品を上に折り、伸ばすための、本発明による機構の、下に折り、引っ込めた位置での概略側面図である。
【図２】図１の機構の、上に折り、伸ばした位置での概略側面図である。
【図３】本発明による機構の原理の概略図である。
【図４】本発明によるチェア構造のシートの第１実施形態の、下に折り、引っ込めたフットレストの位置における概略側面図である。
【図５】本発明によるチェア構造のシートの第１実施形態の、中間位置における概略側面図である。
【図６】本発明によるチェア構造のシートの第１実施形態の、上に折り、伸ばしたフットレストの位置における概略側面図である。
【図７】本発明によるチェア構造のシートの他の実施形態の、下に折り、引っ込めたフットレストの位置における概略側面図である。
【図８】本発明によるチェア構造のシートの他の実施形態の、中間位置における概略側面図である。
【図９】本発明によるチェア構造のシートの他の実施形態の、上に折り、伸ばしたフットレストの位置における概略側面図である。
【図１】
2006502766.tif 000003
【図２】
2006502766.tif 000004
【図３】
2006502766.tif 000005
【図４】
2006502766.tif 000006
【図５】
2006502766.tif 000007
【図６】
2006502766.tif 000008
【図７】
2006502766.tif 000009
【図８】
2006502766.tif 000010
【図９】
2006502766.tif 000011
【国際調査報告】
2006502766.tif 000012
2006502766.tif 000013
2006502766.tif 000014